(57)【特許請求の範囲】
【請求項１】
枠体に対して開閉可能に支持した障子の框に取り付けられるラッチケースと、
前記框の見付け方向に沿ってスライド可能となる状態で前記ラッチケースに配設し、前記障子が閉じた状態で係合位置に配置された場合に前記枠体に係合することにより前記枠体に対する前記障子の開き移動を阻止する一方、前記障子が閉じた状態で前記枠体に対して非係合となる解除位置に配置された場合に前記枠体に対する前記障子の開き移動を許容するラッチ部材と、
前記ラッチケースに対して前記ラッチ部材を常時係合位置となるように付勢する付勢部材と
を備えたラッチ装置であって、
前記ラッチケース及び前記ラッチ部材のいずれか一方に前記ラッチ部材のスライド方向に沿ってガイドピンを設けるとともに、前記ラッチケース及び前記ラッチ部材のいずれか他方にガイド孔を形成し、前記ガイドピンを前記ガイド孔に摺動可能に挿通させ、
前記ラッチケースは、前記框の見付け方向に沿って延在する框ヒレ部の一方の表面に取り付けられ、前記框ヒレ部との間に収容部を構成するものであり、
前記ラッチ部材は、前記収容部にスライド可能に配設し、前記付勢部材の付勢力によって前記枠体に係合される係合部と、前記框ヒレ部の他方の表面に配設され、前記框ヒレ部に形成した挿通開口を介して前記係合部に連結した操作部とを備え、前記付勢部材の付勢力に抗して前記操作部に操作力を加えた場合に前記係合部が前記枠体に対して非係合となる位置に移動するものであり、
前記付勢部材の付勢力に抗して前記操作部に操作力が加えた場合に前記操作部の一部が前記框ヒレ部の他方の表面に摺接し、かつ前記ガイド孔の内周面が前記ガイドピンの外周面に摺接する一方、前記ラッチケースと前記ラッチ部材の前記係合部とが非当接状態を維持した状態で前記ラッチケースに対して前記ラッチ部材がスライドするように構成したことを特徴とするラッチ装置。
【請求項２】
前記ガイドピンは、前記ラッチ部材において前記操作部と前記付勢部材との間に配設したことを特徴とする請求項１に記載のラッチ装置。
【請求項３】
前記係合部と前記操作部とを別体に成形し、互いの間に連結ネジを螺合させることによって相互に連結したことを特徴とする請求項１に記載のラッチ装置。
【請求項４】
請求項１〜請求項３のいずれか一つに記載したラッチ装置を障子の框に配設したことを特徴とする建具。
【発明の詳細な説明】
【技術分野】
【０００１】
本発明は、枠体に対して開閉可能に支持した障子を閉じた状態に維持するラッチ装置及びラッチ装置を適用した建具に関するものである。
【背景技術】
【０００２】
内倒し窓等のように、枠体に対して障子がヒンジ軸を中心として開閉可能に支持された建具では、障子の框にラッチ装置が設けられている。ラッチ装置は、ラッチケースを介して障子の框に取り付けられたもので、ラッチ部材を備えている。ラッチ部材は、ラッチケースに対して框の見付け方向にスライド可能に配設されている。このラッチ部材は、障子が閉じた状態で係合位置に配置された場合、枠体に係合することにより枠体に対する障子の開き移動を阻止するように機能する。障子が閉じた状態でラッチ部材が解除位置に配置された場合には、枠体との係合状態が解除されるため、枠体に対して障子を開くことが可能となる。
【０００３】
この種のラッチ装置では、ラッチケースとラッチ部材との間にコイルバネが配設されているとともに、ラッチ部材に操作部が設けられている。コイルバネは、ラッチ部材が常時係合位置となるように付勢するものである。操作部は、障子の外部からラッチ部材を操作するためのものである（例えば、特許文献１参照）。
【先行技術文献】
【特許文献】
【０００４】
【特許文献１】特開２００３−９０１６１号公報（図２、図６）
【発明の概要】
【発明が解決しようとする課題】
【０００５】
ところで、上述したラッチ装置においては、ラッチケースがプレス加工品として提供される場合が多く、加工精度の問題からラッチ部材とラッチケースとの間の隙間を大きく設定しているのが実情である。しかしながら、ラッチ部材とラッチケースとの隙間が大きく設定された場合には、ラッチケースの内部でラッチ部材が傾斜した状態となり得る。この結果、ラッチ部材に連結された操作部が障子の外部において傾いた状態に配置されることになり、外観品質の点で必ずしも好ましいとはいえない。
【０００６】
こうした問題を解決するには、ラッチ部材とラッチケースとの間の隙間を小さくすることが考えられる。すなわち、ラッチ部材とラッチケースとの間の隙間をできる限り小さく設定すれば、ラッチケースに対してラッチ部材をガタ付くことなくスライドさせることができる。しかしながら、ラッチ部材とラッチケースとの間の隙間をできる限り小さく設定した場合には、上述したラッチケースの加工精度の問題からラッチ部材とラッチケースとの間の隙間が無くなるおそれがある。ラッチ部材とラッチケースとの間の隙間が無くなった場合には、両者の間の摩擦力が増大し、ラッチ部材を操作する際の操作力を増大させることになる。また、最悪の場合には、ラッチ部材をラッチケースに収容させることができなくなるおそれもある。
【０００７】
本発明は、上記実情に鑑みて、外観品質を損なうことなく、操作力の低減を図ることのできるラッチ装置及び建具を提供することを目的とする。
【課題を解決するための手段】
【０００８】
上記目的を達成するため、本発明に係るラッチ装置は、枠体に対して開閉可能に支持した障子の框に取り付けられるラッチケースと、前記框の見付け方向に沿ってスライド可能となる状態で前記ラッチケースに配設し、前記障子が閉じた状態で係合位置に配置された場合に前記枠体に係合することにより前記枠体に対する前記障子の開き移動を阻止する一方、前記障子が閉じた状態で前記枠体に対して非係合となる解除位置に配置された場合に前記枠体に対する前記障子の開き移動を許容するラッチ部材と、前記ラッチケースに対して前記ラッチ部材を常時係合位置となるように付勢する付勢部材とを備えたラッチ装置であって、前記ラッチケース及び前記ラッチ部材のいずれか一方に前記ラッチ部材のスライド方向に沿ってガイドピンを設けるとともに、前記ラッチケース及び前記ラッチ部材のいずれか他方にガイド孔を形成し、前記ガイドピンを前記ガイド孔に摺動可能に挿通させ、前記ラッチケースは、前記框の見付け方向に沿って延在する框ヒレ部の一方の表面に取り付けられ、前記框ヒレ部との間に収容部を構成するものであり、前記ラッチ部材は、前記収容部にスライド可能に配設し、前記付勢部材の付勢力によって前記枠体に係合される係合部と、前記框ヒレ部の他方の表面に配設され、前記框ヒレ部に形成した挿通開口を介して前記係合部に連結した操作部とを備え、前記付勢部材の付勢力に抗して前記操作部に操作力を加えた場合に前記係合部が前記枠体に対して非係合となる位置に移動するものであり、前記付勢部材の付勢力に抗して前記操作部に操作力が加えた場合に前記操作部の一部が前記框ヒレ部の他方の表面に摺接し、かつ前記ガイド孔の内周面が前記ガイドピンの外周面に摺接する一方、前記ラッチケースと前記ラッチ部材の前記係合部とが非当接状態を維持した状態で前記ラッチケースに対して前記ラッチ部材がスライドするように構成したことを特徴とする。
【０００９】
この発明によれば、ガイドピンをガイド孔に挿通させることによってラッチケースに対するラッチ部材のスライドをガイドするようにしている。ガイドピン及びガイド孔については、高い加工精度を期待することができるため、互いの間の隙間を適正な寸法に設定することが可能である。従って、ラッチ部材が傾斜した状態に配置される事態を招来するおそれはなく、しかもラッチ部材とラッチケースとの間の隙間が無くなるおそれもないためラッチ部材の操作力を低減することができる。
【００１１】
この発明によれば、操作部を操作することで直接係合部をスライドさせて枠体との係合状態を解除することができる。
【００１３】
この発明によれば、操作部と框ヒレ部の他方の表面との接触部から操作部までの距離並びにガイドピンとガイド孔の内周面との接触部から操作部までの距離をそれぞれ短く設定することができ、操作部を操作する際の操作力を低減することができる。
【００１４】
また本発明は、上述したラッチ装置において、前記ガイドピンは、前記ラッチ部材において前記操作部と前記付勢部材との間に配設したことを特徴とする。
【００１５】
この発明によれば、ガイドピンとガイド孔の内周面との摺接位置が操作部に対して、より近くに設定されるため、操作部を操作する際の操作力を一層低減することが可能となる。
【００１６】
また本発明は、上述したラッチ装置において、前記係合部と前記操作部とを別体に成形し、互いの間に連結ネジを螺合させることによって相互に連結したことを特徴とする。
【００１７】
この発明によれば、ラッチ部材の係合部と操作部と別個に取り付けることができるため、ラッチ装置の框への取付作業を容易に行うことが可能となる。
【００１８】
また本発明に係る建具は、上述したラッチ装置のいずれか一つを障子の框に配設したことを特徴とする。
【００１９】
この発明によれば、ガイドピンをガイド孔に挿通させることによってラッチケースに対するラッチ部材のスライドをガイドするようにしている。ガイドピン及びガイド孔については、高い加工精度を期待することができるため、互いの間の隙間を適正な寸法に設定することが可能である。従って、ラッチ部材が傾斜した状態に配置される事態を招来するおそれはなく、しかもラッチ部材とラッチケースとの間の隙間が無くなるおそれもないためラッチ部材の操作力を低減することができる。
【発明の効果】
【００２０】
本発明によれば、ガイドピンをガイド孔に挿通させることによってラッチケースに対するラッチ部材のスライドをガイドするようにしている。ガイドピン及びガイド孔については、高い加工精度を期待することができるため、互いの間の隙間を適正な寸法に設定することが可能である。従って、ラッチ部材が傾斜した状態に配置される事態を招来するおそれはなく、しかもラッチ部材とラッチケースとの間の隙間が無くなるおそれもないためラッチ部材の操作力を低減することができる。
【図面の簡単な説明】
【００２１】
【図１】図１は、本発明の実施の形態であるラッチ装置を適用した建具において障子が閉じた状態の縦断面図である。
【図２】図２は、図１に示した建具において障子が開いた状態の縦断面図である。
【図３】図３は、図１に示した建具を室内側から見た図である。
【図４】図４は、図１に示したラッチ装置の構成を示す分解斜視図である。
【図５】図５は、図４に示したラッチ装置において操作部を省略した斜視図である。
【図６】図６は、図１に示した建具の要部を示す拡大縦断面図である。
【図７】図７は、図２に示した建具の要部を示す拡大縦断面図である。
【図８】図８は、図１に示した建具の要部を示す拡大一部破断斜視図である。
【図９】図９は、図８において操作部を操作した状態を示す拡大一部破断斜視図である。
【図１０】図１０は、本発明に係るラッチ装置の変形例において操作部を省略した斜視図である。
【図１１】図１１は、図１０に示したラッチ装置の分解斜視図である。
【発明を実施するための形態】
【００２２】
以下、添付図面を参照しながら本発明に係るラッチ装置及び建具の好適な実施の形態について詳細に説明する。
【００２３】
図１〜図３は、本発明の実施の形態であるラッチ装置を適用した建具を示したものである。ここで例示する建具は、開口枠１０に対して内外２枚の障子２０，３０を左右方向に沿ってスライド可能に配設した引き違い窓と称されるものである。開口枠１０は、上枠１１、下枠１２及び左右の縦枠１３を四周枠組みすることによって矩形状に構成してある。この開口枠１０においては、室内側から見て左側に配置した障子２０が室外側に配置してあり、室内側から見て右側に配置した障子３０が室内側に配置してある。以下、障子２０、３０を区別する場合には、室外側の障子２０を「外障子」、室内側の障子３０を「内障子」と称する。
【００２４】
外障子２０は、上框２１、下框２２及び左右の縦框２３を四周框組みするとともに、左右の縦框２３の間において高さ方向のほぼ中間となる位置に中框２４を備えている。上框２１、下框２２、一対の縦框２３及び中框２４によって構成される２つの矩形領域には、それぞれ複層ガラス２５が配設してある。これに対して内障子３０は、上框３１、下框３２及び左右の縦框３３を四周框組みするとともに、左右の縦框３３の間に中框３４及び無目３５を備えている。無目３５、下框３２、一対の縦框３３及び中框３４によって構成される２つの矩形領域には、それぞれ複層ガラス３６が配設してある。
【００２５】
一方、内障子３０において無目３５、上框３１及び左右の縦框３３によって構成される枠体４０の矩形領域には、換気用の副障子（障子）５０が配設してある。副障子５０は、副上框５１、副下框５２及び左右の副縦框５３を四周框組することによって構成される矩形領域に複層ガラス５４を配設することによって構成したものである。この副障子５０は、副下框５２と無目３５との間に設けた形材蝶番６０により副下框５２の長手方向に沿った中心軸を中心として回転可能に支持してあり、図１に示すように副上框５１が副下框５２の真上に位置する直立姿勢と、図２に示すように副上框５１が室内側に突出した傾斜姿勢とに移動することが可能である。
【００２６】
本実施の形態では、無目３５の室内側に位置する上縁部にヒレ状突部６１を設ける一方、副下框５２の室内側に位置する下縁部に支持ヒレ部６２を設けることによって形材蝶番６０が構成してある。ヒレ状突部６１は、無目３５から上方に向けて突出した薄板状部であり、無目３５の長手方向に沿った全長に設けてある。ヒレ状突部６１の突出端部は、室内側に向けて屈曲している。支持ヒレ部６２は、副下框５２から下方に向けて突出した薄板状部であり、副下框５２の長手方向に沿った全長に設けてある。この支持ヒレ部６２には、筒状体６２ａが設けてある。筒状体６２ａは、副下框５２の長手方向に沿い、かつ下方に開口した略半円筒状を成すもので、ヒレ状突部６１の突出端部を摺動可能に収容している。
【００２７】
尚、開口枠１０を構成するそれぞれの枠１１，１２，１３及び障子２０，３０，５０を構成するそれぞれの框２１，２２，２３，３１，３２，３３，５１，５２，５３、無目３５は、アルミニウムやアルミニウム合金、あるいは樹脂材によって成形した押し出し形材であり、長手方向の全長にわたってほぼ一様な断面形状を有するように成形してある。
【００２８】
副障子５０の副上框５１には、ラッチ装置７０が設けてある。ラッチ装置７０は、開口枠１０に対して副障子５０を直立姿勢に維持するためのもので、副上框５１の框ヒレ部５１ａに取り付けてある。框ヒレ部５１ａは、副上框５１において上枠１１に対向する見込み面の室内側に位置する縁部から上枠１１に向けて突出した薄板状部分である。
【００２９】
図４及び図５に示すように、ラッチ装置７０は、ラッチケース７１及びラッチ部材７２を備えている。ラッチケース７１は、ほぼ矩形状を成す底壁部７１ａと、底壁部７１ａの両側から上方に向けて立設した一対の側壁部７１ｂとを有したものである。それぞれの側壁部７１ｂには、一方の側縁に取付壁部７１ｃが設けてあるとともに、他方の側縁に後壁部７１ｄが設けてある。取付壁部７１ｃは、側壁部７１ｂの側縁から互いに離隔する方向に向けてほぼ直角に屈曲した平板状部分である。それぞれの取付壁部７１ｃには、ネジ挿通孔７１ｅが形成してある。後壁部７１ｄは、側壁部７１ｂの側縁から互いに近接する方向に向けてほぼ直角に屈曲した平板状部分である。これらラッチケース７１の底壁部７１ａ、一対の側壁部７１ｂ、取付壁部７１ｃ及び後壁部７１ｄは、例えば金属薄板によって一体に成形してある。
【００３０】
このラッチケース７１は、図１及び図２に示すように、副上框５１の框ヒレ部５１ａに対して室外側に臨む見付け面に取付壁部７１ｃを当接し、この状態から個々のネジ挿通孔７１ｅを介して框ヒレ部５１ａにネジ（図示せず）を螺合することによって框ヒレ部５１ａに取り付けてある。框ヒレ部５１ａに取り付けたラッチケース７１は、図６及び図７に示すように、底壁部７１ａ、一対の側壁部７１ｂ及び後壁部７１ｄによって框ヒレ部５１ａとの間に上方に開口した収容部７３を構成している。尚、框ヒレ部５１ａにおいて収容部７３に対応する部分には、後述するラッチ部材７２の係合部７２１を挿通するための挿通開口５１ｂが形成してある。
【００３１】
ラッチ部材７２は、金属によって成形した係合部７２１と、樹脂材によって成形した操作部７２２とを備えて構成したものである。
【００３２】
ラッチ部材７２の係合部７２１は、ロストワックスやダイカストによってブロック状に成形したもので、ラッチケース７１の一対の側壁部７１ｂ及び後壁部７１ｄとの間にそれぞれ隙間を確保した状態で収容部７３に収容可能となる寸法に形成してある。この係合部７２１は、上下方向に沿って形成したガイド孔７２１ａにガイドピン７４を挿通させることにより、ラッチケース７１に対して上下方向に移動することが可能となる状態でラッチケース７１に支持してある。ガイドピン７４は、上端部にフランジ７４ａを有し、かつ上下方向に沿った寸法が係合部７２１よりも大きな円柱状部材であり、例えば金属材料を引き抜きしたり、転造することによって成形してある。このガイドピン７４は、中心軸が上下方向に沿う状態で、下端部を介してラッチケース７１の底壁部７１ａにカシメ固定してある。係合部７２１のガイド孔７２１ａは、ガイドピン７４を摺動可能に挿通させることのできる内径を有した貫通孔であり、ラッチ部材７２の成形時に同時に形成してある。このガイド孔７２１ａには、副上框５１の見込み方向に沿ってのみ抜き勾配ａが設けてある。
【００３３】
図６からも明らかなように、ラッチ部材７２の係合部７２１には、ガイド孔７２１ａよりも室外側となる部位にバネ収容部７２１ｂが設けてある。バネ収容部７２１ｂは、係合部７２１の下面にのみ開口する凹所であり、その内部にコイルバネ（付勢部材）７５を収容している。コイルバネ７５は、ラッチケース７１の底壁部７１ａとの間に介在した圧縮バネであり、ラッチケース７１に対してラッチ部材７２を常時上方に向けて付勢するように機能している。
【００３４】
また、ラッチ部材７２の係合部７２１には、係合突起７２１ｃ及び連結挿入部７２１ｄが設けてある。係合突起７２１ｃは、係合部７２１の上面においてガイドピン７４よりも室外側となる部分から上方に突出したもので、係合部７２１がガイドピン７４に対して最も上方に位置した場合に、ラッチケース７１の収容部７３から上方に突出するように形成してある。この係合突起７２１ｃには、係合面７２１ｅ及びガイド面７２１ｆが設けてある。係合面７２１ｅは、框ヒレ部５１ａに対向するように形成した平面であり、框ヒレ部５１ａの見付け面に対してほぼ平行となるように形成してある。ガイド面７２１ｆは、係合面７２１ｅの上端から室外側に向けて漸次低くなるように傾斜した平面である。連結挿入部７２１ｄは、係合部７２１において框ヒレ部５１ａに対向する面から突出し、框ヒレ部５１ａの挿通開口５１ｂを介して室内側に突出した部分である。
【００３５】
一方、ラッチ部材７２の操作部７２２は、上端に指を掛けることのできる操作面７２２ａを有するとともに、框ヒレ部５１ａに対向する基端面に装着凹部７２２ｂを有したものである。この操作部７２２は、装着凹部７２２ｂに係合部７２１の連結挿入部７２１ｄを装着した状態で連結ネジ７２３を螺合することにより、係合部７２１に連結してある。係合部７２１に連結した操作部７２２は、操作面７２２ａが上方に向いた状態で框ヒレ部５１ａの室内側に臨む見付け面に取り付けられることになる。操作部７２２の基端面には、摺動突部７２２ｃが設けてある。摺動突部７２２ｃは、基端面の下縁部となる部位の全長に設けた突出部分である。
【００３６】
上記のように構成したラッチ装置７０では、操作部７２２に操作力を加えていない場合、コイルバネ７５の付勢力によりラッチケース７１に対してラッチ部材７２が上方に移動し、係合部７２１の上端面がガイドピン７４のフランジ７４ａに当接した状態となる。この状態においては、係合部７２１の係合突起７２１ｃがラッチケース７１の側壁部７１ｂよりも上方に突出するため（係合位置）、副障子５０が直立姿勢にある場合、図６及び図８に示すように、係合突起７２１ｃの係合面７２１ｅが上枠１１に設けた係合ヒレ部１１ａに近接して対向して配置される。従って、副障子５０を傾斜姿勢に移動させようとした場合にも、係合突起７２１ｃの係合面７２１ｅと上枠１１の係合ヒレ部１１ａとが当接することになり、副障子５０が閉じた状態に維持される。
【００３７】
上述の状態から操作部７２２の操作面７２２ａに操作力を付与し、コイルバネ７５の付勢力に抗して操作部７２２を下方に移動させると、図７及び図９に示すように、係合突起７２１ｃの係合面７２１ｅが上枠１１の係合ヒレ部１１ａよりも下方に配置される（解除位置）。従って、操作部７２２を介して副障子５０の副上框５１を室内側に引き寄せれば、図２に示すように、副障子５０を開くことが可能となる。尚、図２に示す状態から副上框５１を室外側に押し込むと、上枠１１の係合ヒレ部１１ａに当接したガイド面７２１ｆの傾斜作用により、コイルバネ７５の付勢力に抗してラッチ部材７２が一旦下方に押し下げられ、係合突起７２１ｃが係合ヒレ部１１ａを通過して直立姿勢となる。さらに、係合突起７２１ｃが係合ヒレ部１１ａを通過した後においては、コイルバネ７５の付勢力によって係合部７２１が係合位置に復帰するため、再び副障子５０が閉じた状態に維持される。
【００３８】
上述したように、このラッチ装置７０では、ガイドピン７４を係合部７２１のガイド孔７２１ａに挿通させることによってラッチケース７１に対するラッチ部材７２のスライドをガイドするようにしているため、副障子５０の副上框５１に設けた操作部７２２が傾いたり、スライドする際にガタ付くおそれもなく、ラッチ部材７２の操作部７２２を操作する際の操作力を低減することができるようになる。すなわち、ガイドピン７４及び係合部７２１のガイド孔７２１ａについては、高い加工精度を期待することができるため、互いの間の隙間を適正な寸法に設定することが可能である。従って、このラッチ装置７０によれば、框ヒレ部５１ａの室内側に臨む見付け面に配設したラッチ部材７２の操作部７２２が傾斜した状態に配置される事態を招来することはなく、しかもガイドピン７４と係合部７２１のガイド孔７２１ａとの間の隙間が無くなるおそれもないためラッチ部材７２の操作力を低減することができる。
【００３９】
しかも、コイルバネ７５の付勢力に抗して操作部７２２に操作力を加えた場合には、図７に示すように、ガイド孔７２１ａに設けた抜き勾配ａによってラッチ部材７２が室内側に向けて低くなるようにわずかに傾斜する。従って、操作部７２２に設けた摺動突部７２２ｃは框ヒレ部５１ａの室内側に臨む見付け面に摺接し、かつガイド孔７２１ａの内周面はガイドピン７４の外周面に摺接することになる。操作部７２２の摺動突部７２２ｃ及びガイドピン７４に対して摺接するガイド孔７２１ａの内周面は、いずれも操作面７２２ａとの距離が、ラッチケース７１の後壁部７１ｄと操作面７２２ａとの間の距離よりも小さい値となる。とりわけ、本実施の形態では、ラッチ部材７２の係合部７２１において操作部７２２に装着される連結挿入部７２１ｄとコイルバネ７５を収容するバネ収容部７２１ｂとの間にガイド孔７２１ａを設けるようにしているため、ガイドピン７４とガイド孔７２１ａの内周面との摺接位置が操作部７２２に対して、より近くに設定されることになる。従って、ラッチ部材７２とラッチケース７１の後壁部７１ｄとが摺接する場合に比べて小さい操作力によって操作部７２２を操作することが可能となる。
【００４０】
尚、操作部７２２の摺動突部７２２ｃが樹脂材であるため、框ヒレ部５１ａを金属によって成形すれば、互いの間の摩擦力が低減されることになり、操作部７２２を操作する際の操作力を一層低減することができる。
【００４１】
これらの結果、上述のラッチ装置７０によれば、操作部７２２が傾いて配置される等の外観品質を損なう事態を招来することはなく、しかもガイドピン７４と係合部７２１のガイド孔７２１ａとの間の隙間が無くなるおそれもないため操作部７２２の操作力を低減することができる。
【００４２】
尚、上述した実施の形態では、ラッチケース７１にガイドピン７４を設け、かつラッチ部材７２にガイド孔７２１ａを設けるようにしているが、ラッチケース７１にガイド孔７２１ａを設け、かつラッチ部材７２にガイドピン７４を設けるようにしても良い。また、別体のガイドピン７４をラッチケース７１の底壁部７１ａにカシメ固定するようにしているが、ガイドピン７４をラッチケース７１もしくはラッチ部材７２と一体に設けるようにしても構わない。さらに、内障子３０の見込み方向に沿ってコイルバネ７５、ガイドピン７４、操作部７２２を順次並べて設けるようにしているが、ガイドピン７４と操作部７２２との間にコイルバネ７５を設けるようにしても良いし、ガイドピン７４をコイルバネ７５とを取付対象となる框５１の長手方向に並べて配設することも可能である。
【００４３】
図１０及び図１１は、ラッチ装置１７０の変形例を示したものである。この変形例では、ラッチケース１７１に対して２本のガイドピン１７４が一体に設けてある。ガイドピン１７４は、取付対象となる框（図示せず）の長手方向に沿って並設されるもので、ラッチ部材１７２に設けたそれぞれのガイド孔１７２１ａに摺動可能に挿通してある。ラッチ部材１７２においてガイド孔１７２１ａの間となる位置には、コイルバネ（付勢部材）１７５が介在させてある。コイルバネ１７５は、ラッチ部材１７２に設けたバネ収容孔（図示せず）に一方の端部を収容させた状態でラッチケース１７１の底壁部１７１ａとの間に介在してある。尚、図１０及び図１１に示した変形例においてはラッチ部材１７２の操作部を省略しているが、ラッチ部材１７２の連結挿入部１７２１ｄに実施の形態と同様の操作部が取り付けられている。また、ラッチ部材１７２の係合部１７２１に係合突起１７２１ｃ、係合面１７２１ｅ及びガイド面１７２１ｆが設けてあるのも実施の形態１と同様である。
【００４４】
この変形例のラッチ装置１７０においても、ガイドピン１７４をガイド孔１７２１ａに挿通させることによってラッチケース１７１に対するラッチ部材１７２のスライドをガイドするようにしているため、ラッチケース１７１に対してラッチ部材１７２が傾いた状態に配置される事態やガイドピン１７４とガイド孔１７２１ａとの間の隙間が無くなるおそれがない。さらに、２本のガイドピン１７４をラッチ部材１７２のガイド孔１７２１ａに挿通させるようにしているため、ガイドピン１７４の中心軸を中心としてラッチ部材１７２が回転する方向に移動するおそれもない。このため、ラッチ部材１７２の操作部が傾いたり、スライドする際にガタ付くおそれもなく、ラッチ部材１７２を操作する際の操作力を低減することができるようになる。
【００４５】
尚、上述した実施の形態では、内障子３０に設けられる副障子５０をラッチ装置７０の取付対象としているが、本発明は必ずしもこれに限定されない。また、適用する障子としては、必ずしも副上框５１が室内側に移動する内倒しの副障子５０に限らず、例えば、下框が室外側に移動する障子にも適用することが可能である。尚、ラッチ装置を取り付ける框は、必ずしも戸先となる框である必要はない。例えば、実施の形態のように副上框５１が戸先となる副障子５０においては、副縦框５３の上端部にラッチ装置を設けるようにしても構わない。
【００４６】
さらに、上述した実施の形態及び変形例では、ラッチ部材の係合部と操作部とを別体に成形し、これらを連結ネジによって連結するようにしているが、ラッチ部材の係合部及び操作部を一体に成形しても構わない。
【符号の説明】
【００４７】
４０  枠体、５０  副障子、５１  副上框、５１ａ  框ヒレ部、５１ｂ  挿通開口、７０，１７０  ラッチ装置、７１，１７１  ラッチケース、７２，１７２  ラッチ部材、７３  収容部、７４，１７４  ガイドピン、７５，１７５  コイルバネ、７２１，１７２１  係合部、７２１ａ，１７２１ａ  ガイド孔、７２２  操作部、７２２ｃ  摺動突部、７２３  連結ネジ
【図１】
0006329016.tif 000002
【図２】
0006329016.tif 000003
【図３】
0006329016.tif 000004
【図４】
0006329016.tif 000005
【図５】
0006329016.tif 000006
【図６】
0006329016.tif 000007
【図７】
0006329016.tif 000008
【図８】
0006329016.tif 000009
【図９】
0006329016.tif 000010
【図１０】
0006329016.tif 000011
【図１１】
0006329016.tif 000012